(57)【要約】【課題】スタイレットが変位しにくいカテーテルおよびマニホールドを提供する。【解決手段】筒状部材５と、遠近方向に延在している内腔１２を有しており、筒状部材５の近位端部に接続されているマニホールド本体１１と、遠近方向に延在しており、内腔１２に挿通可能なスタイレット２０と、を有しているカテーテル１であって、スタイレット２０の近位端部が、遠位側に向かって折り返されている区間（折り返し区間）２１を有している。また、遠近方向に延在しており筒状部材５に挿通可能なスタイレット２０と共に使用され、かつ筒状部材５の近位端部に接続されるマニホールド１０であって、遠近方向に延在しており、内腔１２を有するマニホールド本体１１を有し、マニホールド本体１１の近位部であって内腔１２の中心軸Ｃよりも半径方向外方に、スタイレット２０の近位端部を挿入可能な開口１３が形成されている。【選択図】図１
2019097598.tif 000002
【特許請求の範囲】
【請求項１】
筒状部材と、
遠近方向に延在している内腔を有しており、前記筒状部材の近位端部に接続されているマニホールド本体と、
前記遠近方向に延在しており、前記内腔に挿通可能なスタイレットと、を有しているカテーテルであって、
前記スタイレットの近位端部が、遠位側に向かって折り返されている区間を有していることを特徴とするカテーテル。
【請求項２】
前記マニホールド本体の近位部であって前記内腔の中心軸よりも半径方向外方に、前記スタイレットの近位端部を挿入可能な開口が形成されている請求項１に記載のカテーテル。
【請求項３】
前記開口が、前記遠近方向に沿って延在している請求項２に記載のカテーテル。
【請求項４】
前記開口が、さらに前記マニホールド本体の半径方向に沿って延在している請求項３に記載のカテーテル。
【請求項５】
前記開口が、前記マニホールド本体の周方向に沿って延在している請求項２または３に記載のマニホールド。
【請求項６】
前記スタイレットの近位端が、前記マニホールド本体の遠位側を向くように配置されている請求項１〜５のいずれか一項に記載のカテーテル。
【請求項７】
前記スタイレットの近位端部がＵ字形状に折り返されている請求項１〜６のいずれか一項に記載のカテーテル。
【請求項８】
遠近方向に延在しており筒状部材に挿通可能なスタイレットと共に使用され、かつ前記筒状部材の近位端部に接続されるマニホールドであって、
前記遠近方向に延在しており、内腔を有するマニホールド本体を有し、
前記マニホールド本体の近位部であって前記内腔の中心軸よりも半径方向外方に、スタイレットの近位端部を挿入可能な開口が形成されていることを特徴とするマニホールド。
【発明の詳細な説明】
【技術分野】
【０００１】
本発明は、手元側の剛性を高めるスタイレットを有するカテーテルと、これに用いられるマニホールドに関する。
【背景技術】
【０００２】
カテーテルの手元側の剛性を高めて安定した形状とするために、特許文献１に示すようにカテーテルにはスタイレットという線状部材が挿入される。
【０００３】
カテーテル内でスタイレットを固定する方法として、例えば、特許文献１にはカテーテルの基端部に、カテーテルを固定できるカテーテルコネクタ（マニホールド）と、カテーテルコネクタと嵌合可能であって、カテーテルコネクタの内腔に挿通しているスタイレットを固定できるスタイレットコネクタとが備え付けられていることが開示されている。詳細には、スタイレットの近位端部が略９０度に折り曲げられており、先端がスタイレットコネクタに固定されている。このようにスタイレットを固定することで、カテーテルの近位側からスタイレットが脱落することを防いでいる。
【先行技術文献】
【特許文献】
【０００４】
【特許文献１】特開２００３−２８４７８０号公報
【発明の概要】
【発明が解決しようとする課題】
【０００５】
しかし、特許文献１に記載されている方法でスタイレットを固定しても、カテーテルの操作中にチューブ内でスタイレットが変位し、筒状部材内へのガイドワイヤ等の部材の挿通、または薬液や造影剤等の注入がしにくいことがあった。そこで、本発明はスタイレットが変位しにくいカテーテルおよびマニホールドを提供することを目的とする。
【課題を解決するための手段】
【０００６】
上記課題を解決し得た本発明のカテーテルは、筒状部材と、遠近方向に延在している内腔を有しており、筒状部材の近位端部に接続されているマニホールド本体と、遠近方向に延在しており、内腔に挿通可能なスタイレットと、を有しているカテーテルであって、スタイレットの近位端部が、遠位側に向かって折り返されている区間（以下、「折り返し区間」と称することがある）を有している点に要旨を有する。本発明のカテーテルは、上記スタイレットの折り返し区間をマニホールド本体に係合しやすいため、カテーテルを操作してもスタイレットが変位しにくくなり、筒状部材内への他の部材の挿通や薬液等の注入をスムーズに行うことができる。
【０００７】
上記カテーテルにおいて、マニホールド本体の近位部であって内腔の中心軸よりも半径方向外方に、スタイレットの近位端部を挿入可能な開口が形成されていることが好ましい。
【０００８】
上記カテーテルにおいて、開口が遠近方向に沿って延在していることが好ましい。
【０００９】
上記カテーテルにおいて、開口がさらにマニホールド本体の半径方向に沿って延在していることが好ましい。
【００１０】
上記カテーテルにおいて、開口がマニホールド本体の周方向に沿って延在していることが好ましい。
【００１１】
上記カテーテルにおいて、スタイレットの近位端がマニホールド本体の遠位側を向くように配置されていることが好ましい。
【００１２】
上記カテーテルにおいて、スタイレットの近位端部がＵ字形状に折り返されていることが好ましい。
【００１３】
本発明は遠近方向に延在しており筒状部材に挿通可能なスタイレットと共に使用され、かつ筒状部材の近位端部に接続されるマニホールドも提供する。本発明のマニホールドは、遠近方向に延在しており、内腔を有するマニホールド本体を有し、マニホールド本体の近位部であって内腔の中心軸よりも半径方向外方に、スタイレットの近位端部を挿入可能な開口が形成されている点に要旨を有する。本発明のマニホールドによれば、マニホールド本体の開口にスタイレットの近位端部を挿入することで、マニホールド本体とスタイレットを係合しやすいため、カテーテルを操作してもスタイレットが変位しにくくなり、筒状部材内への他の部材の挿通や薬液等の注入をスムーズに行うことができる。
【発明の効果】
【００１４】
本発明のカテーテルおよびマニホールドによれば、マニホールド本体とスタイレットを係合しやすいため、カテーテルを操作してもスタイレットが変位しにくくなり、筒状部材内への他の部材の挿通や薬液等の注入をスムーズに行うことができる。
【図面の簡単な説明】
【００１５】
【図１】本発明の実施の形態に係るカテーテルの近位側の構造を示す断面図（一部側面図）を表す。
【図２】図１に示すカテーテルのＩＩ−ＩＩ線に沿った断面図を表す。
【図３】図１に示すスタイレットの近位端部を拡大した側面図を表す。
【図４】図１に示すマニホールドの開口の変形例を示す背面図を表す。
【図５】図１に示すマニホールドの開口の他の変形例を示す背面図を表す。
【図６】図３に示すスタイレットの変形例を示す側面図を表す。
【図７】図３に示すスタイレットの他の変形例を示す側面図を表す。
【発明を実施するための形態】
【００１６】
本発明のカテーテルは、筒状部材と、遠近方向に延在している内腔を有しており、筒状部材の近位端部に接続されているマニホールド本体と、遠近方向に延在しており、マニホールド本体の内腔に挿通可能なスタイレットと、を有しているカテーテルであって、スタイレットの近位端部が、遠位側に向かって折り返されている区間（折り返し区間）を有している。本発明のカテーテルは、上記スタイレットの折り返し区間をマニホールド本体に係合しやすいため、カテーテルを操作してもスタイレットが変位しにくくなり、筒状部材内への他の部材の挿通や薬液等の注入をスムーズに行うことができる。
【００１７】
また、本発明のマニホールドは、遠近方向に延在しており筒状部材に挿通可能なスタイレットと共に使用され、かつ筒状部材の近位端部に接続されるものであって、遠近方向に延在しており、内腔を有するマニホールド本体を有し、マニホールド本体の近位部であって内腔の中心軸よりも半径方向外方に、スタイレットの近位端部を挿入可能な開口が形成されている。本発明のマニホールドによれば、マニホールド本体の開口にスタイレットの近位端部を挿入することで、マニホールド本体とスタイレットを係合しやすいため、カテーテルを操作してもスタイレットが変位しにくくなり、筒状部材内への他の部材の挿通や薬液等の注入をスムーズに行うことができる。
【００１８】
以下、下記実施の形態に基づき本発明をより具体的に説明するが、本発明はもとより下記実施の形態によって制限を受けるものではなく、前・後記の趣旨に適合し得る範囲で適当に変更を加えて実施することも勿論可能であり、それらはいずれも本発明の技術的範囲に包含される。なお、各図面において、便宜上、ハッチングや部材符号等を省略する場合もあるが、かかる場合、明細書や他の図面を参照するものとする。また、図面における種々部材の寸法は、本発明の特徴の理解に資することを優先しているため、実際の寸法とは異なる場合がある。
【００１９】
本発明においてカテーテルは医療用のカテーテル全般を指し、バルーンカテーテル、マイクロカテーテル、貫通カテーテル、吸引カテーテルを含む。カテーテルは、内視鏡で胆管や膵管を造影する検査（Endoscopic retrograde cholangiopancreatography：ERCP）で造影剤を注入するために好適に用いられる。カテーテルの近位側とはカテーテルの延在方向に対して使用者（術者）の手元側の方向を指し、遠位側とは近位側の反対方向（すなわち処置対象側の方向）を指す。また、カテーテルの近位側から遠位側への方向を遠近方向または軸方向と称する。
【００２０】
以下、図１〜図７を参照しながら、本発明の実施の形態に係るカテーテルについて説明する。図１はカテーテルの近位側の構造を示す断面図（一部側面図）であり、図２は図１に示すカテーテルのＩＩ−ＩＩ線に沿った断面図であり、図３は図１に示すスタイレットの近位端部を拡大した側面図である。図４〜図５は、図１に示すマニホールド本体の開口の変形例を示す背面図であり、図６〜図７は、図３に示すスタイレットの変形例を示す側面図である。なお、図４〜図５ではマニホールド本体の外周面に設けられているねじ山を省略して記載している。
【００２１】
図１に示すように、本発明の実施の形態に係るカテーテル１は、筒状部材５と、マニホールド本体１１と、スタイレット２０を有している。また、本発明の実施の形態に係るマニホールド１０は、筒状部材５に挿通可能なスタイレット２０と共に使用されるものであって、マニホールド本体１１を有している。
【００２２】
筒状部材５は遠位側と近位側を有している。筒状部材５としては樹脂チューブが挙げられ、樹脂チューブは例えば押出成形によって製造することができる。筒状部材５を構成する樹脂としては、ポリアミド系樹脂、ポリエステル系樹脂、ポリウレタン系樹脂、ポリオレフィン系樹脂、フッ素系樹脂、塩化ビニル系樹脂、シリコーン系樹脂、天然ゴム等が挙げられる。これらは１種のみを用いてもよく、２種以上を併用してもよい。中でも、ポリアミド系樹脂、ポリエステル系樹脂、ポリウレタン系樹脂、ポリオレフィン系樹脂、フッ素系樹脂が好適に用いられる。
【００２３】
筒状部材５は、単層から構成されていてもよく、複数層から構成されていてもよい。筒状部材５は、軸方向または周方向の一部が単層から構成されており、他部が複数層から構成されていてもよい。
【００２４】
マニホールド１０は、筒状部材５内に造影剤や薬剤を注入するためのシリンジ等が接続される。マニホールド１０は、マニホールド本体１１を有している。マニホールド１０は、後述する蓋部材３２や、弾性部材３４、シール部材３５を含んでもよい。マニホールド本体１１は、遠近方向に延在している内腔１２を有しており、筒状部材５の近位端部に接続されている。
【００２５】
マニホールド本体１１は、複数の内腔を有していることが好ましい。図１に示すようにマニホールド本体１１の内腔１２は、遠近方向に延在している主内腔１２Ａと、主内腔１２Ａから分岐している副内腔１２Ｂを有していてもよい。その場合、主内腔１２Ａにスタイレット２０が挿通されていることが好ましい。
【００２６】
副内腔１２Ｂの軸方向は、例えば主内腔１２Ａの軸方向に対して２０度以上８０度以下の範囲で傾斜していてもよい。図１では、副内腔１２Ｂの軸方向が主内腔１２Ａの軸方向に対して６０度傾斜するように副内腔１２Ｂが設けられている。
【００２７】
マニホールド本体１１の遠近方向に延在している内腔（図１の主内腔１２Ａ）において、遠位端における内径よりも近位端部における内径が大きいことが好ましい。マニホールド本体１１の主内腔１２Ａの近位端部にスタイレット２０を補助的に固定する弾性部材３４を配置することができる。弾性部材３４については後述する。
【００２８】
マニホールド本体１１を構成する材料としては、例えば、ＡＢＳやポリカーボネート等の合成樹脂や、ポリウレタン発泡体等の発泡プラスチックを用いることができる。
【００２９】
マニホールド本体１１の遠位端部に筒状部材５が接続されていることが好ましい。筒状部材５とマニホールド本体１１は直接接続されていてもよい。また、図１に示すように、一方端がマニホールド本体１１の遠位端部に挿入され、他方端が筒状部材５の近位端部に挿入されている接続部材３０を介して間接的に接続されていてもよい。接続部材３０としては、ステンレス鋼から構成されているパイプが挙げられる。
【００３０】
図１に示すように、中空部を有する保護部材３１内に筒状部材５の近位端部およびマニホールド本体１１の遠位端部が配置されていることが好ましい。これにより筒状部材５からマニホールド１１の形状が急激に変化して、筒状部材５やマニホールド本体１１が座屈することを防止できる。保護部材３１は、遠位側に向かって外径が小さくなるよう勾配が設けられていることが好ましく、錐形状や錐台形状であることがより好ましい。保護部材３１はシリコーンゴム、ポリアミドエラストマー等の弾性材料から構成することができる。
【００３１】
保護部材３１をマニホールド本体１１に接続しやすくするために、マニホールド本体１１の遠位側には、近位端よりも外径が小さい小径部１４が設けられていることが好ましい。保護部材３１との嵌合性を高めるために、小径部１４の外周面には環状の凸部１５が形成されてもよい。
【００３２】
スタイレット２０はカテーテル１の剛性を高めるために、マニホールド本体１１の内腔１２および筒状部材５の内腔６に挿通可能な線状の部材である。スタイレット２０は少なくとも一部が遠近方向に延在している。スタイレット２０は単線、互いに結束または撚り合わされた複数の単線であってもよい。また、スタイレット２０は線材をコイル状に形成したものであってもよい。
【００３３】
図示していないが、スタイレット２０の遠位端は、筒状部材５の遠位端よりも近位側に位置していることが好ましく、筒状部材５の軸方向中央よりも近位側に位置していることがより好ましい。これにより筒状部材５の遠位側を柔軟にしつつ、カテーテル１の近位側の剛性を高めることができる。
【００３４】
スタイレット２０の近位端部は、遠位側に向かって折り返されている区間（折り返し区間２１）を有している。スタイレット２０の折り返し区間２１をマニホールド本体１１に係合しやすいため、カテーテル１を操作してもスタイレット２０が変位しにくくなり、筒状部材５内への他の部材の挿通や薬液等の注入をスムーズに行うことができる。
【００３５】
折り返し区間２１は、スタイレット２０の近位端２２を含む部分に設けられていることが好ましいが、スタイレット２０の近位端２２よりも遠位側に設けられていてもよい。
【００３６】
折り返し区間２１の数は特に制限されず、例えば３つ以下にすることができるが、マニホールド本体１１内のスペースには限りがあるため、スタイレット２０には折り返し区間２１が１つのみ設けられていることが好ましい。
【００３７】
折り返し区間２１はマニホールド本体１１と係合する程度の長さであればよく、折り返し区間２１の長さは、例えばスタイレット２０の全長の１％以下、０．５％以下、または０．３％以下とすることができる。
【００３８】
図１に示すように、スタイレット２０の折り返し区間２１が筒状部材５の中心軸よりも半径方向外方に配置されていることが好ましく、スタイレット２０全体が筒状部材５の中心軸よりも半径方向外方に配置されていることがより好ましい。これにより、マニホールド本体１１の内腔１２や筒状部材５の内腔６を広く確保できるため、筒状部材５内への他の部材の挿通や薬液等の注入を一層スムーズに行うことができる。
【００３９】
スタイレット２０は、折り返し区間２１よりも遠位側が遠近方向に沿って延在していることが好ましい。これによりスタイレット２０の折り返し区間２１よりも遠位側を、遠近方向に沿って延在しているマニホールド本体１１の主内腔１２Ａに挿通しやすくなる。スタイレット２０は直線状であることが好ましい。スタイレット２０が直線状である場合、筒状部材に挿入されるガイドワイヤとの干渉を少なくすることができる。スタイレット２０が波形などの曲線状であってもよい。例えば、筒状部材５の内腔６に接触するらせん状とすることができる。
【００４０】
スタイレット２０は、例えば、ステンレス鋼、Ｎｉ−Ｔｉ合金等の金属材料から構成することができる。
【００４１】
マニホールド本体１１にスタイレット２０の折り返し区間２１を係合固定するために、マニホールド本体１１には、スタイレット２０の折り返し区間２１を受け入れ可能な開口１３が形成されていることが好ましい。詳細には、マニホールド本体１１の近位部であって内腔１２（主内腔１２Ａ）の中心軸Ｃよりも半径方向外方に、スタイレット２０の近位端部を挿入可能な開口１３が形成されていることがより好ましい。このような開口１３にスタイレット２０の折り返し区間２１を挿入することで、マニホールド本体１１とスタイレット２０を係合固定することができる。
【００４２】
スタイレット２０はマニホールド本体１１の主内腔１２Ａに挿通され、さらに、スタイレット２０の折り返し区間がマニホールド本体１１の開口１３に挿通される。主内腔１２Ａと開口１３とは、図４に示すように連続的に形成されていてもよく、図５に示すように別々に形成されていてもよい。また、主内腔１２Ａと開口１３の間の部分がマニホールド本体１１に設けられる場合、当該部分はスタイレット２０の外周を内包する内腔を有していてもよく、スタイレット２０の外周の一部に接する溝を有していてもよい。
【００４３】
図示していないが、開口１３がマニホールド本体１１を貫通するように形成されていてもよい。その場合、開口１３がマニホールド本体１１の外と連通する。ただし、マニホールド本体１１の主内腔１２Ａを通じて筒状部材５の内腔６に薬液等の液体を流す場合、開口１３から外に液体が漏れ出すことを防ぐために、開口１３はマニホールド本体１１の内壁に設けられていることが好ましい。
【００４４】
図１に示すように、開口１３が遠近方向に沿って延在していることが好ましい。開口１３の一部が遠近方向に沿って延在していてもよく、開口１３全体が遠近方向に沿って延在していてもよい。これにより、開口１３にスタイレット２０の折り返し区間２１を挿通しやすくなる。
【００４５】
マニホールド本体１１の遠近方向において、開口１３の長さＬ１は折り返し区間２１の長さＬ２より短いことが好ましい。これによりカテーテル１を近位側から見たときに、スタイレット２０の折り返し区間２１が開口１３から突出するように配置されるため、スタイレット２０の配置および取り外しを行いやすくなる。
【００４６】
図示していないが、マニホールド本体１１の遠近方向において、開口１３の長さＬ１は折り返し区間２１の長さＬ２より長くてもよい。これによりカテーテル１を近位側から見たときに、スタイレット２０の折り返し区間２１が開口１３の近位端よりも遠位側に配置されるため、スタイレット２０が開口１３から抜け落ちにくくなる。
【００４７】
図１に示すように、マニホールド本体１１の開口１３がスタイレット２０の折り返し区間２１の形状に沿って形成されていることが好ましい。これによりスタイレット２０がマニホールド本体１１に固定されやすくなり、スタイレット２０が変位することを防げる。
【００４８】
図１および図３に示すように、マニホールド本体１１の遠近方向において、スタイレット２０の折り返し区間２１と対向している区間（対向区間２３）が、マニホールド本体１１の主内腔１２Ａを形成している内壁と接触していることが好ましい。このようにスタイレット２０の一部をマニホールド本体１１の内壁に接触させることによって、スタイレット２０がマニホールド本体１１の主内腔１２Ａの中心軸Ｃよりも半径方向外方に配置されやすくなる。
【００４９】
図４に示すように、開口１３がさらにマニホールド本体１１の半径方向に沿って延在していることが好ましい。これによりスタイレット２０をマニホールド本体１１に強固に固定できる。
【００５０】
図５に示すように、開口１３が、マニホールド本体１１の周方向に沿って延在していることが好ましい。その場合、開口１３がマニホールド本体１１の周方向の一部に設けられていてもよく、周方向の全体にわたって設けられていてもよい。このように開口１３がマニホールド本体１１の周方向に沿って延在することで、折り返し区間２１を開口１３に挿入しやすくなる。
【００５１】
スタイレット２０は、マニホールド本体１１から取り外し可能であることが好ましいが、マニホールド本体１１に接着または溶着されていてもよい。
【００５２】
スタイレット２０の近位端２２は、マニホールド本体１１の遠位側、近位側、または半径方向の外方を向いていてもよいが、マニホールド本体１１の遠位側を向くように配置されていることが好ましい。その場合、スタイレット２０の近位端２２は平面を有していることが好ましい。スタイレット２０の近位端面がマニホールド本体１１の内壁と接触しやすくなるため、スタイレット２０がマニホールド本体１１から抜けにくくなる。
【００５３】
図１および図３に示すようにスタイレット２０の近位端部が湾曲して折り返し区間２１が形成されていてもよい。詳細には、図１に示すようにスタイレット２０の近位端部がＵ字形状に折り返されていることが好ましい。このようにスタイレット２０の近位端部を湾曲形状にすることにより、部分的に応力が集中することを抑制できる。
【００５４】
図６に示すようにスタイレット２０の近位端部が折り曲げられて折り返し区間２１が形成されていてもよい。このようにスタイレット２０を折り曲げ形状とすることでもスタイレット２０とマニホールド本体１１を強固に固定できる。
【００５５】
図７に示すように折り返し区間２１がスタイレット２０の近位端２２よりも遠位側に設けられていてもよい。例えば、スタイレット２０は、折り返し区間２１の近位端よりも近位側に遠近方向と異なる方向に延在している区間（補助固定区間２４）を有していてもよい。スタイレット２０が補助固定区間２４を有している場合、図示していないが、マニホールド本体１１の開口１３は遠近方向に沿って延在している第１区間と、第１区間と隣り合い遠近方向と異なる方向に延在している第２区間を有していることが好ましい。開口１３の第１区間にスタイレット２０の折り返し区間２１を、開口１３の第２区間にスタイレット２０の補助固定区間２４を配置することができる。このようにスタイレット２０の補助固定区間２４や開口１３の第２区間を設けることで、スタイレット２０がマニホールド本体１１の開口１３により一層固定されやすくなり、スタイレット２０が変位することを防げる。
【００５６】
上記補助固定区間２４において、スタイレット２０はマニホールド本体１１の半径方向または周方向に延在していることが好ましい。例えば、図７では折り返し区間２１の近位端よりも近位側に、半径方向に延在している補助固定区間２４が設けられている例を示している。
【００５７】
図１に示すように、上記カテーテル１または上記マニホールド１０において、マニホールド本体１１の近位端部に蓋部材３２が配置されていることが好ましい。蓋部材３２は、マニホールド本体１１の主内腔１２Ａの近位端部を塞ぐために設けられる。また、蓋部材３２により、スタイレット２０と弾性部材３４を遠位方向に押さえることもできる。マニホールド本体１１の近位端部と蓋部材３２が係合していることが好ましい。例えば、マニホールド本体１１の近位端部の外周面にねじ山１６が形成されており、蓋部材３２に該ねじ山１６と係合する溝３３が形成されている態様とすることができる。
【００５８】
蓋部材３２は遠近方向に貫通している貫通孔を有していることが好ましい。貫通孔を介して筒状部材５内にガイドワイヤ等の他の部材を導入することができる。
【００５９】
蓋部材３２はマニホールド本体１１と同様の材料から構成することができる。
【００６０】
マニホールド本体１１の主内腔１２Ａの近位端部には弾性部材３４が設けられていることが好ましい。これにより弾性部材３４によりスタイレット２０を補助的に固定することができる。弾性部材３４は遠近方向に貫通している貫通孔を有していることが好ましい。貫通孔にガイドワイヤを挿通させることができる。図示していないが、弾性部材３４の遠位端面に溝が設けられていてもよい。この溝にスタイレット２０を配置することができるため、マニホールド本体１１とスタイレット２０が一層強固に固定される。弾性部材３４はシリコーンゴム、ポリアミドエラストマー等から構成することができる。
【００６１】
図１に示すように、スタイレット２０の折り返し区間２１が弾性部材３４と接触していることが好ましい。これによりスタイレット２０の折り返し区間２１が弾性部材３４で押さえられるため、内腔１２に挿通される他の部材等の動きを阻害することなくスタイレット２０を固定できる。
【００６２】
スタイレット２０の折り返し区間２１よりも遠位側（より好ましくは、折り返し区間２１と対向している対向区間２３）が、弾性部材３４の遠位端部と接触していることが好ましい。弾性部材３４がスタイレット２０の折り返し区間２１よりも遠位側を押さえることにより、スタイレット２０の折り返し区間２１よりも遠位側が半径方向の外方に変位しやすくなるため、内腔１２に挿通される他の部材等の動きを一層阻害しにくくなる。
【００６３】
マニホールド本体１１の遠近方向において、蓋部材３２と弾性部材３４の間にシール部材３５が設けられていてもよい。これにより蓋部材３２と弾性部材３４の密閉性を高めることができる。シール部材３５としてはＯリングが挙げられる。
【符号の説明】
【００６４】
１：カテーテル
５：筒状部材
１０：マニホールド
１１：マニホールド本体
１２：内腔
１２Ａ：主内腔、１２Ｂ：副内腔
１３：開口
１４：小径部
１５：凸部
１６：ねじ山
２０：スタイレット
２１：折り返し区間
２２：近位端
２３：対向区間
２４：補助固定区間
３０：接続部材
３１：保護部材
３２：蓋部材
３３：溝
３４：弾性部材
３５：シール部材
【図１】
2019097598.tif 000003
【図２】
2019097598.tif 000004
【図３】
2019097598.tif 000005
【図４】
2019097598.tif 000006
【図５】
2019097598.tif 000007
【図６】
2019097598.tif 000008
【図７】
2019097598.tif 000009